(57)【要約】【課題】交換ユニットの着脱作業を容易に行うとともに、保持枠を本体基部から取り外した場合でも、前面扉との係合及び解除を独立して行う。【解決手段】第１係止爪３１，３２をブラケット４１を介して交換ユニット３を構成する保持枠７の後面に組み付ける。この第１係止爪３１は前面扉６のブラケット６０と、第１係止爪３２はブラケット６１とそれぞれ係合している。交換ユニット３を据え置きユニットに組み付けると、第１係止爪３１の押下部が施錠装置３０を構成する連動部材に設けられた押圧片の下方に、第１係止爪３２の押下部が連動部材の押圧面の下方に配置されるので、キーシリンダ３６に挿入された鍵の回転動作によって、第１係止爪３１とブラケット６０との係合、及び第１係止爪３２とブラケット６１との係合がそれぞれ解除され、前面扉６を開けることができる。【選択図】        図２２
2005006941.tif 000002
【特許請求の範囲】
【請求項１】
遊技領域を有する部材を保持する保持部材と、前記保持部材に回動自在に設けられ、前記遊技領域を視認させる窓部を有する扉とを備えた交換部と、
前記交換部が着脱自在に組み付けられる本体基部と、前記本体基部を回動自在に保持する固定部材とを備えた据え置き部とから構成されるとともに、
前記扉に設けられた第１の係合部と、
前記固定部材に設けられた第２の係合部と、
前記保持部材に設けられ、前記第１の係合部と係合する第１の係止部と、
前記本体基部に設けられ、前記第２の係合部と係合する第２の係止部と、
前記本体基部に設けられた錠部と、
前記錠部の作動に連動し、前記第１の係止部及び第２の係止部による係合を選択的に解除する連係機構とからなる施錠装置を備えたことを特徴とする弾球遊技機。
【請求項２】
前記第１の係止部と前記第１の係合部との係合は、前記交換部を据え置き部から取り外した場合も維持されることを特徴とする請求項１記載の弾球遊技機。
【請求項３】
前記第１の係止部及び第２の係止部は、前記第１及び第２の係合部のそれぞれと係合する係合位置と、前記各係合を選択的に解除する第１及び第２解除位置との間で移動するとともに、前記第１及び第２の係止部は前記係合位置に向けてそれぞれバネ付勢されていることを特徴とする請求項１又は２記載の弾球遊技機。
【請求項４】
前記錠部は、第１方向に移動したときに、前記第１の係止部を前記係合位置から前記第１解除位置へ移動させ、前記第１とは異なる第２方向に移動したときに、前記第２の係止部を前記係合位置から前記第２解除位置へと移動させることを特徴とする請求項１〜３いずれか記載の弾球遊技機。
【請求項５】
前記錠部は、前記第１の方向及び第２の方向に回動自在であることを特徴とする請求項４記載の弾球遊技機。
【請求項６】
前記連係機構を、前記錠部の前記第１方向への移動に連動し、前記第１の係止部を第１解除位置へと移動させるとともに、前記錠部の前記第２方向への移動に連動し、前記第２の係止部を第２解除位置へと移動させる連動部材と、前記錠部の動きを前記連動部材へと伝達する伝達部材と、前記錠部が第１方向に移動したときに連動して移動した連動部材を、初期位置へと復帰させる復帰部材と、から構成したことを特徴とする請求項１〜５いずれか記載の弾球遊技機。
【請求項７】
前記錠部の第２方向への移動に連動して移動した前記連動部材は、前記バネ付勢によって前記係合位置へと移動する前記第２の係止部の動きに基づいて前記初期位置に復帰することを特徴とする請求項６記載の弾球遊技機。
【請求項８】
前記連係機構は、前記第１の係止部が前記係合位置から第１解除位置へと移動した際に、前記扉を押し出す押出し部材を備えるとともに、前記押出し部材にはバネの一端が、前記復帰部材には前記バネの他端が取り付けられていることを特徴とする請求項１〜７いずれか記載の弾球遊技機。
【請求項９】
前記保持部材は、前記第１の係止部が前記係合位置から第１解除位置へと移動した際に、バネの付勢によって前記扉を押し出す押出し部材を備えていることを特徴とする請求項１〜７いずれか記載の弾球遊技機。
【発明の詳細な説明】
【０００１】
【発明の属する技術分野】
本発明は、パチンコ店等の遊技場に設置して使用される弾球遊技機等の遊技機に関するものである。
【０００２】
【従来の技術】
遊技場に設置される遊技機として、パチンコ機等の弾球遊技機が挙げられる。このパチンコ機は、固定枠（固定部材）に取り付けられた本体基部内に遊技盤が配設されており、その遊技盤の前面には前記遊技盤の遊技領域を視認させるための窓部が形成された前面扉（扉部材）が設けられている。この前面扉は本体基部に設けられた施錠装置により、本体基部の前面に保持されている。この施錠装置は本体基部に設けられており、前面扉と係合する爪状の第１の係止部と、固定枠と係合する爪状の第２の係止部と、鍵が挿入されるキーシリンダ（錠部）と、キーシリンダの作動に連動して、第１又は第２の係止部のいずれか一方を作動させる連係機構とから構成される。この場合、鍵をキーシリンダに挿入した後に所定方向へ回転させると第１の係止部による係合が解除され、前面扉を開けることが可能となる。一方、キーシリンダに挿入された鍵を前記所定方向とは逆となる方向に回転させると、第２の係止部による係合が解除され、本体基部を回動自在とさせることができる。
【０００３】
このようなパチンコ機では、新しい機種への機種替えを行う際には、固定枠毎取り外して新しい機種のパチンコ機を遊技場の所定箇所に配設している。この場合、共通化できる部分（例えばパチンコ機の基本動作を行う部分）も交換してしまうため、効率のよいコストダウンを行うことができないという問題があり、パチンコ機の基本動作を行う部分をパチンコ店等の遊技場に据え置きにし、例えば遊技盤等の機種に依存する部分（例えば遊技盤、制御回路装置等）を交換部とすることが考えられている。これにより、交換部を新しい機種のものに替えるだけで、効率のよいコストダウンを行うことが可能となる。
【０００４】
しかしながら、遊技盤や新しい遊技性を行う制御装置等のみの交換を行う場合、前面扉は据え置きとなるため、新しい機種への機種替えを行った場合には、見た目のデザイン性に劣ってしまい、遊技者に対して新しい機種というイメージを損ねるものとなる。このため、前面扉と、この前面扉を回動自在に保持する保持枠とを１つのユニットとして本体基部から取り外し可能とし、又この保持枠に遊技盤を組み付けることが考案されている。これにより、新しい機種への機種替え時に前面扉の交換も行え、遊技者に新しい機種であることをアピールし、新しい機種への興趣を与えることが可能となる。
【０００５】
【発明が解決しようとする課題】
このような前面扉を保持枠とともに取り外し可能とした場合に上記施錠装置を用いると、第１の係止部による前面扉の係合を行うことは可能であるが、例えば保持枠を本体基部から取り外した場合には、第１の係止部による前面扉との係合が解除された状態となってしまうため、前面扉が保持枠の前面に保持されなくなるという欠点がある。このため、例えば保持枠を本体基部に取り付ける場合や本体基部から取り外す場合に、前面扉が回動自在となったままでは作業性が悪いという問題が生じてしまう。
【０００６】
一方、例えば保持枠と前面扉とを係合するために上記施錠装置とは別の施錠装置を設けることが考えられるが、部品点数が多くなるので効果的なコストダウンを行うことができないという他に、このようなパチンコ機が遊技場に配設された場合には、遊技場の店員が所有する鍵の個数が増えてしまうため、作業性が悪いという問題がある。
【０００７】
本発明は、前面扉が回動自在に組み付けられた保持枠を交換する際に、保持枠の着脱作業を容易に行えるようにするとともに、保持枠を本体基部から取り外した場合でも、前面扉との係合及び解除を独立して行うことができるようにした弾球遊技機を提供することを目的とする。
【０００８】
【課題を解決するための手段】
上記目的を達成するために、本発明の弾球遊技機は、遊技領域を有する部材を保持する保持部材と、前記保持部材に回動自在に設けられ、前記遊技領域を視認する窓部を有する扉とを備えた交換部と、前記交換部が着脱自在に組み付けられる本体基部と、前記本体基部を回動自在に保持する固定部材とを備えた据え置き部とから構成されるとともに、前記扉に設けられた第１の係合部と、前記固定部材に設けられた第２の係合部と、前記保持部材に設けられ、前記第１の係合部と係合する第１の係止部と、前記本体基部に設けられ、前記第２の係合部と係合する第２の係止部と、前記本体基部に設けられた錠部と、前記錠部の作動に連動し、前記第１の係止部及び第２の係止部による係合を選択的に解除する連係機構とからなる施錠装置を備えたものである。
【０００９】
なお、遊技領域を有する部材とは、例えば通常入賞口や始動入賞口等の入賞口の他に、釘や風車等が設けられた領域の外側を、金属やプラスチック等からなるガイドレールが組み付けられ、このガイドレールの内側の領域を遊技領域とする遊技盤の他に、上記構造物が設けられる遊技盤の反対の面に、上記入賞口に入賞した遊技媒体を所定の受け部に導く誘導通路が形成された支持体を組み付けた遊技盤ユニットや、前記構造物が設けられた面にプラスチック製の樹脂枠を組み付けるとともに、その反対側となる面に上記支持体を組み付けた遊技盤ユニットなどを含むものとする。また、交換部とは、新機種への切り替えを行う場合に、例えば遊技盤や、前面扉等の新機種に対応した部品を含むものである。また、据え置き部とは、例えば発射装置や払出し装置等のパチンコ機の基本動作を行う装置や、パチンコ機の基体となる本体基部等の機種に依存しない、所謂共通化できる部品からなるものである。
【００１０】
また、前記第１の係止部と前記第１の係合部との係合は、前記交換部を据え置き部から取り外した場合も維持されることが好ましい。また、前記第１の係止部及び第２の係止部は、前記第１及び第２の係合部のそれぞれと係合する係合位置と、前記各係合を選択的に解除する第１及び第２解除位置との間で移動するとともに、前記第１及び第２の係止部は前記係合位置に向けてそれぞれバネ付勢されていることが好ましい。
【００１１】
また、前記錠部は、第１方向に移動したときに、前記第１の係止部を前記係合位置から前記第１解除位置へ移動させ、前記第１とは異なる第２方向に移動したときに、前記第２の係止部を前記係合位置から前記第２解除位置へと移動させることが好ましい。なお、この場合、前記錠部は、前記第１の方向及び第２の方向に回動自在であることが好ましい。
【００１２】
また、前記連係機構を、前記錠部の前記第１方向への移動に連動し、前記第１の係止部を第１解除位置へと移動させるとともに、前記錠部の前記第２方向への移動に連動し、前記第２の係止部を第２解除位置へと移動させる連動部材と、前記錠部の動きを前記連動部材へと伝達する伝達部材と、前記錠部が第１方向に移動したときに連動して移動する連動部材を、初期位置へと復帰させる復帰部材と、から構成したことが好ましい。また、前記錠部の第２方向への移動に連動して移動する前記連動部材は、前記バネ付勢によって前記係合位置へと移動する前記第２の係止部の動きに基づいて前記初期位置に復帰することが好ましい。
【００１３】
また、前記連係機構は、前記第１の係止部が前記係合位置から第１解除位置へと移動した際に、前記扉を押し出す押出し部材を備えるとともに、前記押出し部材にはバネの一端が、前記復帰部材には前記バネの他端が取り付けられていることが好ましい。また、前記保持部材は、前記第１の係止部が前記係合位置から第１解除位置へと移動した際に、バネの付勢によって前記扉を押し出す押出し部材を備えていることが好ましい。
【００１４】
【発明の実施の形態】
図１及び図２に示すように、本発明のパチンコ機２は、交換ユニット（交換部）３及び据え置きユニット（据え置き部）４から構成されている。交換ユニット３は、新しい機種への切り換え時に交換されるユニットである。この交換ユニット３は、前面扉６、保持枠（保持部材）７及び遊技盤ユニット（遊技領域を有する部材）８から構成され、この交換ユニット３は、据え置きユニット４を構成する本体基部１８に設けられた枠部１８ａに着脱自在に組み付けられる。なお、交換ユニット３の据え置きユニット４への組付け方法としては、例えば保持枠７の遊技盤ユニット８が組み付けられる反対側となる後面に回転自在な係止部材を複数設け、交換ユニット３の据え置きユニット４への組付け時に、本体基部１８の枠部１８ａに複数設けられた開口に前記係止部材をそれぞれ挿通させた後に、前記係止部材を所定の角度回転させて係止部材と開口とを係合する等、適宜の組付け方法を用いてよいものとする。
【００１５】
前面扉６は図１に示す閉じ位置と、閉じ位置から所定の角度まで回動させた開き位置の間で回動する。なお、開き位置に前面扉６がある時には、遊技領域９が露呈される。この前面扉６のほぼ中央には開口（扉部）６ａを備えており、前面扉６の後面に回動自在に設けられたガラス板１０等の透光性を有する部材により遮蔽される。これにより、前面扉６が閉じ位置にある時には、遊技領域９や、遊技領域９に設けられた構造物は、開口６ａを遮蔽するガラス板１０を介して視認する。
【００１６】
保持枠７には、前面扉６が回動自在に組み付けられる他に、遊技盤ユニット８が組み付けられる。遊技盤ユニット８は、着脱自在な一体樹脂レール１１、遊技盤及び支持体から構成されている。遊技領域９は、その中央にセンター役物１２が設けられる他に、通常入賞口１３、始動入賞口１４及びアタッカ１５等の各種入賞口、及びアウト口１６が設けられ、その外側を上記一体樹脂レール１１によって区画された領域となる。また、図示は省略してあるが、遊技領域９には複数の障害釘や風車等が適宜箇所に設けられている。なお、これら構造物は周知であるので、その記載については省略する。なお、支持体には、センター役物１２の開口と一致するように、図柄表示装置１７が設けられる他に、遊技の際の各種制御を行う制御装置（制御用の回路基板を含む）等が組み付けられる。なお、保持枠７には、上記構成の遊技盤ユニットの他に、通常入賞口、始動入賞口及びアタッカ等の構造物が設けられ、それら構造物の外周を金属製のガイドレールで区画した遊技領域を有する遊技盤や、この遊技盤と、入賞口に入賞した遊技球を所定の受け部へと案内する案内通路を遊技盤側となる面に備えた支持体とから構成された遊技盤ユニットを保持してよいものとする。
【００１７】
据え置きユニット４は、新機種への切り替えを行う場合に、パチンコ店等の遊技場に据え置きとなるユニットである。この据え置きユニット４は、前記交換ユニット３が組み付けられる枠部１８ａを有する本体基部１８と、この本体基部１８を回動自在に保持する固定枠１９（固定部材）とを有している。本体基部１８は、パチンコ機２の基体となる部品である。この本体基部１８には、図示はしないが、例えばパチンコ球の払い出しを行う払出し装置や、遊技中の演出を行うスピーカ等の音声装置等のパチンコ機の基本動作を行う装置及び制御回路装置の他に、スピーカやランプ等の駆動装置が組み付けられる。図３に示すように、本体基部１８は、パチンコ店等の遊技場の所定位置に固定される固定枠１９に対して回動自在に組み付けられている。この本体基部１８の枠部１８ａの下方には、下扉２２が組み付けられる。下扉２２は、遊技媒体であるパチンコ球を受容する受け皿２３や、遊技領域９に向けて遊技球を打ち出す発射装置を作動させる際に操作される操作ハンドル２４が設けられている。なお、この本体基部１８の側面部には施錠装置３０が組み込まれる。なお、下扉２２や操作ハンドル２４は、交換ユニット３に組み付けられていても、据え置きユニット４を構成する本体基部１８に組み付けられていてもよいものとする。
【００１８】
図４に示すように、施錠装置３０は、第１係止爪（第１の係止部）３１，３２、第２係止爪（第２の係止部）３３，３４、連動部材３５、キーシリンダ（錠部）３６、開放レバー（開放部材）３７、復帰部材３８、係止部材３９及び支持板４０とから構成される。なお、支持板４０は、第２係止爪３３，３４、連動部材３５、キーシリンダ３６、開放レバー３７、復帰部材３８及び係止部材３９が、それぞれ組み付けられた状態で、本体基部１８に組み付けられる。以下では、第１係止爪３１、３２と前面扉６に設けられたブラケット６０，６１との係合、及び第２係止爪３３，３４と固定枠１９のブラケット６２，６３との係合がそれぞれ行われる第１係止爪３１，３２及び第２係止爪３３，３４の位置を係合位置として説明する。
【００１９】
図５に示すように、第１係止爪３１，３２は、それぞれカシメピン４３等により、ブラケット４１に回動自在に組み付けられる。第１係止爪３１はブラケット４１に組み付けられた状態で、保持枠７の遊技盤ユニット８が組み付けられる面とは反対側となる面（以下、保持枠７の後面とする）の上方に、第１係止爪３２はブラケット４１に組み付けられた状態で、保持枠７の後面の下方にそれぞれ組み付けられる。なお、第１係止爪３１及び第１係止爪３２の構成が同一であるため、以下では、第１係止爪３１についての詳細を示し、第１係止爪３２については、第１係止爪３１とは異なる箇所についてのみ記載する。
【００２０】
第１係止爪３１は、その一端に爪部３１ａが設けられ、この爪部３１ａが保持枠７に形成された開口７ａを介して保持枠７の前面（遊技盤ユニット８が組み付けられる面）側に突出している。なお、前面扉６が閉じ位置にある場合、第１係止爪３１の爪部３１ａは、前面扉６の後面に設けられたブラケット（第１の係合部）６０に係合する。
【００２１】
この第１係止爪３１の爪部３１ａが設けられる反対側の端部には、押下部３１ｂが設けられている。この押下部３１ｂは、保持枠７を本体基部１８に組み込んだ際に、本体基部１８に設けられた開口１８ｂ（図１１参照）に挿通される。そして、後述する連動部材３５が下方（図１２中Ａ方向）へスライドすると、連動部材３５の押圧片３５ｂが当接し、この押圧片３５ｂによって押下部３１ｂが押し下げられる。これにより、第１係止爪３１が図１２中Ｃ方向に回動し、第１係止爪３１の爪部３１ａとブラケット６０との係合が解除される。
【００２２】
また、第１係止爪３１には取付片３１ｃが形成されており、この取付片３１ｃにコイルバネ４４の一端が組み付けられる。このコイルバネ４４の他端はブラケット４１の取付片４１ｂに組み付けられる。これにより、第１係止爪３１は係合位置に向けて（図１１中Ｄ方向に）付勢される。
【００２３】
第１係止爪３２は、上述したように、ブラケット４１に組み付けられた状態で保持枠７の後面の下方に組み付けられ、第１係止爪３１と同様に、保持枠７に設けられた開口７ｂ（図１３参照）を介して、その爪部３２ａが保持枠７の前面側に突出している。なお、前面扉６が閉じ位置にあるときには、第１係止爪３２の爪部３２ａは、前面扉６の後面に設けられたブラケット（第１の係合部）６１（図１３参照）と係合する。また、第１係止爪３２の押下部３２ｂは、保持枠７を本体基部１８に組み付けると、本体基部１８に設けられた開口１８ｃに挿通される（図１３参照）。そして、連動部材３５が下方（図１４中Ａ方向）にスライドすると、その押圧面３５ｇによって押し下げられ、図１４中Ｅ方向に回動する。なお、第１係止爪３１と同様に、第１係止爪３２の取付片３２ｃにはコイルバネ４４の一端が、ブラケット４１の取付片４１ｂにはコイルバネ４４の他端が組み付けられ、第１係止爪３２を係合位置に向けて（図１３中Ｆ方向）付勢している。以下では、第１係止爪３１とブラケット６０との係合、及び第１係止爪３２とブラケット６１との係合がそれぞれ解除されたときの第１係止爪３１、３２の位置を、第１解除位置として説明する。
【００２４】
ブラケット４１は、第１係止爪３１，３２がそれぞれ組み付けられる部材である。このブラケット４１は略Ｌ字状の断面を有しており、その稜線の一部が切り欠かれた開口４１ａを有している。この開口４１ａには、上述した第１係止爪３１の爪部３１ａが挿通される。また、ブラケット４１には取付片４１ｂが設けられ、上記コイルバネ４４の他端が組み付けられる。
【００２５】
図４に示すように、第２係止爪３３は支持板４０の上方に、第２係止爪３４は支持板４０の下方に、それぞれカシメピン４７等により回動自在に組み付けられる。なお、第２係止爪３３及び第２係止爪３４の構成が同一であるため、以下では、第２係止爪３３についての詳細を示し、第２係止爪３４については、第２係止爪３３とは異なる箇所についてのみ記載する。図６に示すように、この第２係止爪３３の一端には爪部３３ａが設けられる。本体基部１８が固定枠１９の前面（図１参照）に位置するときには、爪部３３ａは、固定枠１９に設けられたブラケット（第２の係合部）６２に係合する。
【００２６】
この第２係止爪３３の他端側には略鍵爪状の取付片３３ｂが設けられ、この取付片３３ｂにコイルバネ４８の一端が組み付けられている。このコイルバネ４８の他端は支持板４０に設けられた取付片４０ａに組み付けられている。これにより、第２係止爪３３は係合位置に向けて（図１２中Ｇ方向に）付勢される。なお、この取付片３３ｂの底面には、後述する連動部材３５の押圧部３５ｄが当接され、この取付片３３ｂを上方（図２０中Ｂ方向）に向けて押圧する。これにより、第２係止爪３３が図２０中Ｈ方向に回動し、その爪部３３ａと、固定枠１９に設けられたブラケット６２との係合が解除される。なお、符号４０ｂは、解除位置に向けて回動する第２係止爪３３の回動を停止させるための回動防止片である。
【００２７】
図８に示すように、第２係止爪３４は、カシメピン４７等により支持板４０の下方に組み付けられる。この第２係止爪３４も、第２係止爪３３と同様に、一端に爪部３４ａ、他端に取付部３４ｂを有している。爪部３４ａは、固定枠１９の下方に設けられたブラケット（第２の係合部）６３と係合する。取付部３４ｂには、コイルバネ４８の一端が組み付けられる。なお、コイルバネ４８の他端は支持板４０の取付片４０ｃに組み付けられる。これにより、第２係止爪３４は、係合位置に向けて（図１９中Ｉ方向に）付勢されている。なお、符号４０ｄは、回動する第２係止爪３４の回動を停止させるための回動防止片である。また、第２係止爪３４に設けられた取付片３４ｃの底面は、上方への移動する連動部材３５の下方に設けられた押圧面３５ｊと当接した後に、この押圧片３５ｊによって上方に押し上げられる。これにより、第２係止片３４は図２１中Ｊ方向に回動する。なお、以下では、第２係止爪３３と、固定枠１９に設けられたブラケット６２との係合、及び第２係止爪３４とブラケット６３との係合がそれぞれ解除されるときの第２係止爪３３，３４の位置を第２解除位置とする。
【００２８】
図６〜図９に示すように、連動部材３５は、その上下２箇所にガイド穴３５ａが設けられている。この連動部材３５は、これらガイド穴３５ａを介してカシメピン４９等により支持板４０に組み付けられる。また、このガイド穴３５ａは、その長手方向が上下方向となるように設けられているので、連動部材３５のスライド時には、ガイド穴３５ａがカシメピン４９に沿って移動することになる。これにより、連動部材３５が上方、又は下方にスライドする。
【００２９】
この連動部材３５の上端部には、押圧片３５ｂが設けられている。この押圧片３５ｂは、連動部材３５の下方へのスライド時に保持枠７に設けられた第１係止爪３１の押下部３１ｂを係合位置から第１解除位置に向けて押圧する（図１２参照）。押圧片３５ｂの下方には切欠き部３５ｃが設けられ、この切欠き部３５ｃの一部の側面が、第２係止爪３３の取付片３３ｂと当接し、取付片３３ｂを上方へ押し上げる押圧面３５ｄとなる。これにより、連動部材３５が上方へスライドすると、第２係止爪３３が係合位置から第２解除位置に向けて回動する（図２０参照）。また、連動部材３５の上方へのスライドが停止すると、コイルバネ４８の付勢により係合位置に向けて回動する第２係止爪３３の取付片３３ｂによって押圧面３５ｄが初期位置に向けて押圧される。なお、初期位置とは、第１係止爪３１，３２及び第２係止爪３３，３４が係合位置にある時の連結部材３５の位置を指すものとする。
【００３０】
連動部材３５の中央上部には、連結片３５ｅが設けられる。この連結片３５ｅは後述する伝達部材５０に設けられた伝達片５０ａ，５０ｂの間に入り込み、後述するキーシリンダ３６の作動時に、連動部材３５を連動させる。この連結片３５ｅの下方には、突出部３５ｆが設けられる。この突出部３５ｆの下面は、後述する復帰部材３９に設けられた取付片３９ａが当接し、連動部材３５が下方に向けてスライドすると、突出部３５ｆの下面が上記取付片３９ａを押圧する押圧面３５ｇとなる。
【００３１】
連動部材３５の下部には押圧片３５ｈが設けられ、保持枠７の下部に組み付けられた第１係止片３２の押下部３２ｂが、その下方に位置する。この押圧片３５ｈは、連動部材３５の上端に設けられた押圧片３５ｂと同様に、連動部材３５の下方へのスライドの際に第１係止爪３２の押下部３２ｂを押圧して、第１係止爪３２を係合位置から第１解除位置に向けて回動させる。
【００３２】
また、この連動部材３５の下部には、上記押圧片３５ｈの他に、本体基部１８を所定量回動させた位置で前面扉６を開ける際に、下方に向けて押圧操作される操作片３５ｉ、支持板４０の下部に組み付けられた第２係止爪３４の取付片３４ｂと当接し、第２係止爪３４を解除位置に向けて回動させる押圧面３５ｊが設けられる。なお、押圧面３５ｊの機能は、連動部材３５の上方に設けられる押圧面３５ｃと同様であるので、ここでは詳細を省略する。
【００３３】
鍵５５に基づいて駆動するキーシリンダ３６は、支持板４０の中央上部に組み付けられる。このキーシリンダ３６の後面には、このキーシリンダ３６に挿入された鍵５５の操作に連動して回転する回転軸３６ａが設けられる。この回転軸３６ａには伝達部材５０がカシメ等により組み付けられている。伝達部材５０は、所定のピッチ間隔をおいて２個の伝達片５０ａ，５０ｂが設けられ、これら伝達片５０ａ，５０ｂの間には、連動部材３５の連結片３５ｅが入り込む。これにより、鍵５５をキーシリンダ３６に差し込んで鍵５５を回転させると、伝達部材５０を介して連動部材３５が上方又は下方にスライドする。
【００３４】
図１０（ａ）に示すように、例えば鍵５５を図１０（ａ）中二点差線で示す初期位置から図中矢印方向に回転させた場合には、伝達部材５０が図１０（ｂ）中二点差線で示す初期位置から図中矢印方向に回転する。この際、伝達部材５０の伝達片５０ａが連結片３５ｅを図１０（ｂ）中Ａ方向に押圧する。これにより、鍵５５の回転操作により、連動部材３５がＡ方向（下方）にスライドする。なお、初期位置を、鍵５５をキーシリンダ３６に対して抜き差しできる位置とする。なお、図１０（ａ）に実線で示す位置を第１解除位置として説明する。
【００３５】
一方、図１８（ａ）に示すように、例えば鍵５５を図１８（ａ）中二点差線で示す初期位置から図中矢印方向に回転させた場合には、伝達部材が図１８（ｂ）中二点差線で示す初期位置から図中矢印方向に回転する。この際、伝達部材５０の伝達片５０ｂが図中二点差線で示す初期位置から図１８（ｂ）中Ｂ方向に押圧する。この際、伝達部材５０伝達片５０ｂが連結片３５ｅを図１８（ｂ）中Ｂ方向に押し上げる。これにより、鍵５５の回転操作により、連動部材３５がＢ方向（上方）にスライドする。なお、図１８（ａ）で示す実線で示す位置を第２解除位置として説明する。
【００３６】
図７に示すように、開放レバー３７は、復帰部材３８と同軸となるように支持板４０にピン４８等を用いて回動自在に組み付けられる。開放レバー３７は、レバー部３７ａの他に、取付片３７ｂと、回動防止片３７ｃとが設けられている。レバー部３７ａは、本体基部１８の開口１８ｄ、及び保持枠７の開口７ｃに挿通され、前面扉６の後面に当接する。取付片３７ｂには、コイルバネ５６の一端が取り付けられ、開放レバー３７を図１３中Ｋ方向に付勢している。回動防止片３７ｃは、支持板４０の側面４０ｅに当接して、バネ付勢される開放レバー３７の回転を防止する。なお、第１係止爪３１、３２が第１解除位置まで回動すると、コイルバネ５６の付勢により開放レバー３７のレバー部３７ａが前面扉６の後面を押圧して、前面扉６を所定量回動させる。なお、符号４０ｆは開口であり、この開口４０ｆに開放レバー３７のレバー部３７ａが挿通される。
【００３７】
復帰部材３８は、その回転中心を軸にして約１８０度の間隔をおいて、取付片３８ａ及び回転防止片３８ｂが設けられている。このうち、取付片３８ａには、開放レバー３７に取り付けられたコイルバネ５６の他端が取り付けられる。これにより、復帰部材３８が図１５中Ｌ方向に付勢される。また、取付片３８ａは、下方にスライドする連動部材３５の押圧面３５ｇにより押圧され、復帰部材３８はバネ付勢に抗して図１４中Ｍ方向に回動する。なお、図１４で示す復帰部材３８の位置は、鍵５５を図１０（ａ）で示す実線まで回転させた時の位置であり、これ以上は回転しないようになっている。なお、この復帰部材３８が停止すると、第１係止爪３１及びブラケット６０の係合、第１係止爪３２及びブラケット６１の係合がそれぞれ解除される。この際、鍵５５を初期位置へと回転させると、コイルバネ５６の付勢によって復帰部材３８が図１５中Ｌ方向に回転し、連動部材３５を図１５中Ｂ方向に押圧する。これにより、連動部材３５が初期位置に復帰する。なお、初期位置にある復帰部材３８の回転防止片３８ｂは支持板４０の側面部３８ｅに当接する。
【００３８】
係止部材３９は、下扉２２を本体基部１８の前面に保持するために設けられる。この係止部材３９は、ガイド穴３９ａ，３９ｂを介してカシメピン５７等により支持板４０に組み付けられる。この係止部材３９の上部及び下部には係止爪３９ｃ、３９ｄがそれぞれ形成されている。これら係止爪３９ｃ、３９ｄは、本体基部１８の開口６５に挿通された後に、パチンコ機２の前面側に突出し、下扉２２の後面に形成されたブラケット６６の開口６６ａと係合する（図１９参照）。
【００３９】
係止爪３９ｃの上部には、この係止部材３９を下方に移動させるための操作部３９ｅが設けられている。なお、この操作部３９ｅは、開口４ｄから突出しており、通常は前面扉６によって遮蔽される（図１９参照）。また、この係止部材３９には取付片３９ｆが設けられている。この取付片３９ｆは、支持板４０の開口４０ｈに挿通された後に、コイルバネ５８の一端が取り付けられる。これにより、係止部材３９はコイルバネ５８により上方に付勢される。なお、符号４０ｉは支持板４０に設けられ、コイルバネ５８の他端が取り付けられる取付片である。
【００４０】
次に、このようにして構成された施錠装置を有するパチンコ機の作用について説明する。遊技場に配設されたパチンコ機２の前面扉６を開ける場合には、鍵５５をキーシリンダ３６に挿入した後に、鍵５５を第１解除位置に向けて（図１０（ａ）中矢印方向）回転させる。鍵５５を図１０（ａ）中実線で示す第１解除位置まで回転させると、伝達部材５０が図１０（ｂ）中二点差線で示す初期位置から実線で示す位置まで回動する。この際、伝達部材５０に設けられた伝達片５０ａが連動部材３５の連結片３５ｅと当接した後に、図１０（ｂ）中Ａ方向に押圧する。これにより、連動部材３５が図中Ａ方向へとスライドする。
【００４１】
図１１及び図１２に示すように、連動部材３５が図中Ａ方向へスライドすると、連動部材３５の上端部に設けられた押圧片３５ｂが、本体基部１８に組み付けられる保持枠７の上方に設けられた第１係止爪３１の押下部３１ｂを押し下げるこれにより、第１係止爪３１がコイルバネ４４の付勢に抗して、係合位置から第１解除位置に（図１２中Ｃ方向に）回動し、第１係止爪３１の爪部３１ａと、前面扉６に設けられたブラケット６０との係合が解除される。
【００４２】
同様にして、図１３に示すように、連動部材３５が図中Ａ方向にスライドすると、連動部材３５の中央に設けられた押圧片３５ｈが保持枠７の下方に設けられた第１係止片３２の押下部３２ｂを押し下げる。これにより、第１係止爪３２がコイルバネ４２の付勢に抗して係合位置から第１解除位置に向けて（図１４中Ｅ方向に）回動し、第１係止爪３２の爪部３２ａとブラケット６１との係合が解除される。
【００４３】
この連動部材３５の下方へスライドする際に、連動部材３５の押圧面３５ｇが復帰部材３８の取付片３８ａに当接し、取付片３８ａを押圧する。これにより、復帰部材３８がコイルバネ５６の付勢に抗して図１４中Ｍ方向に回転する。そして、第１係止爪３１及びブラケット６０の係合、第１係止爪３２及びブラケット６１の係合がそれぞれ解除されると、コイルバネ５６の復帰力によって開放レバー３７が図１４中Ｋ方向に回動する。なお、開放レバー３７のレバー部３７ａの先端は前面扉６の後面に当接しており、コイルバネ５６の復帰力によって図中１４Ｅ方向に回動する開放レバー３７によって、前面扉６が図１４中Ｎ方向に所定量押し出される。図１５に示すように、開放レバー３７が所定量Ｅ方向へ回動すると、支持板４０の側面に回動防止片３７ｃが当接し、開放レバー３７の回動が停止する。これにより、図１６に示すように、前面扉６が所定量押し出された状態となるので、前面扉６を回動させる補助とすることが可能となる。
【００４４】
なお、第１解除位置にある鍵５５から手を離すと、コイルバネ５６の復帰力によって復帰部材３８が図１５中Ｌ方向に回転する。取付片３８ａは連動部材３５の押圧面３５ｆと当接しているから、この復帰部材３８の図１５中Ｌ方向への回転によって、連動部材３５が図中Ｂ方向へスライドする。なお、この復帰部材３８の回転は、回転防止片３８ｂが支持板４０の傾斜面３８ｅと当接する位置で停止する。これにより、復帰部材３８の回転によって、連動部材３５が初期位置に復帰する。また、この連動部材３５が図中Ｂ方向に移動することを受けて、連動部材３５の連結片３５ｅが伝達片５０ａを図１０中Ａ方向とは逆方向に押圧するので、キーシリンダ３６に差した鍵５５が初期位置に復帰する。
【００４５】
図１７に示すように、前面扉６を閉じると（前面扉６を図中Ｏ方向に回動させると）、前面扉６の後面に設けられたブラケット６０に第１係止爪３１の摺接面３１ｃが当接する。その後、回動する前面扉６によって、ブラケット６０が摺接面３１ｃを押圧する。これにより、第１係止爪３１がコイルバネ４４の付勢に抗して図中Ｃ方向に回転する。そして、摺接面３１ｃがブラケット６０を乗り上げると、摺接面３１ｃとブラケット６０との摺接が解除され、第１係止爪３１がコイルバネ４２の付勢により図１１中Ｄ方向に回動し、第１係止爪３１の爪部３１ａとブラケット６０による係合が行われる。同様にして、第１係止爪３２とブラケット６１とによる係合が行われるので、前面扉６が保持枠７に固定される。
【００４６】
図１８（ａ）に示すように、本体基部１８を回動させる場合には、鍵５５をキーシリンダ３６に挿入した後に、鍵５５を図１８（ａ）中矢印方向に回転させる。鍵５５の回転に合わせて、伝達手段５０が図１８（ｂ）中二点差線で示す初期位置から矢印方向に回転する。この伝達部材５０の回転によって伝達片５０ｂが連動部材３５の連結片３５ｄを図１８（ｂ）中Ｂ方向に押圧する。これにより、連動部材３５が上方（図１８（ａ）中Ｂ方向）にスライドする。
【００４７】
図２０に示すように、連動部材３５の図中Ｂ方向へのスライドにより、連動部材３５の押圧面３５ｄが支持板４０の上部に取り付けられた第２係止爪３３の取付片３３ｂを押圧する。これを受けて、第２係止爪３３が図２０中Ｈ方向に回動する。これにより、第２係止爪３３の爪部３３ａと固定枠１９のブラケット６２との係合が解除される。
【００４８】
同様にして、図２１に示すように、連動部材３５がＢ方向にスライドすると、連動部材３５の押圧片３５ｊが支持板４０の下部に設けられた第２係止爪３４の取付片３４ｂを押圧する。これを受けて、第２係止爪３４が図２１中Ｊ方向に回動し、第２係止爪３４とブラケット６３との係合が解除される。第２係止爪３４とブラケット６３との係合が解除されると、図示しない付勢手段により本体基部１８が所定量回動する。これにより、図３に示すように、本体基部１８を回動させることが可能となる。
【００４９】
なお、詳細は図示しないが、本体基部１８を閉じると、第２係止爪３４に設けられた摺接面３４ｃ（図２１参照）がブラケット６３に当接し、第２係止爪３４がコイルバネ４８の付勢に抗して回転する。そして、第２係止爪３４の摺接面３４ａがブラケット６３に乗り上げると、第２係止爪３４がコイルバネ４８の付勢により係合位置に向けて回転する。これにより、本体基部１８の第２係止爪３４の爪部３４ａと固定枠１９に設けられたブラケット６３との係合が行われる。同様にして、第２係止爪３３とブラケット６２との係合が行われ、本体基部１８が固定枠１９に保持される。
【００５０】
また、例えば下扉２２を開けるときには、上記方法で前面扉６を開けた後に、係止部材３９の操作部３９ｅを図１９中下向きに押圧する。これを受けて、係止部材３９の係止部３９ｃ，３９ｄと下扉２２のブラケット６６の開口６６ａとの係合が解除され、下扉２２を開けることができる。なお、この係止部材３９はコイルバネ５８の付勢によって、図１９中上方向にスライドする。
【００５１】
また、図２２に示すように、新しい機種への切り替えの際に、交換ユニット３を据え置きユニット４である本体基部１８から取り外すと、保持枠７の後面に組み付けられた第１係止爪３１が施錠装置３０から分離する。この時、第１係止爪３１の爪部３１ａ及び前面扉６に設けられたブラケット６０との係合が維持されている。また、第１係止爪３２の爪部３２ａ及び前面扉６に設けられたブラケット６１との係合も維持されている。これにより、交換ユニット３を本体基部１８の枠部１８ａから取り外しを容易に行うことが可能となり、また前面扉６が輸送される場合に前面扉６が開放してしまうことが防止できる。そして、別途用意した新しい交換ユニットを本体基部１８の枠部１８ａに組み付ける。この際、保持枠に設けられた第１係止爪及び前面扉のブラケットの係合により、前面扉が保持枠に対して固定された状態となっているので、作業者は、保持枠を掴んで本体基部の枠部に組み付けるだけで済むので、切り替えの際の作業性を向上させることができる。
【００５２】
この交換ユニット３を本体基部１８から取り外した状態で、前面扉６を開ける場合には、第１係止爪３１の押下部３１ｂを図１２中Ｃ方向に、第１形質面３２の押下部３２ｂを図１４中Ｅ方向にそれぞれ押下する。これによって、第１係止爪３１及びブラケット６０の係合、第１係止爪３２及びブラケット６１の係合がそれぞれ解除される。なお、第１係止爪３１の保持枠７への取付位置を同一にし、本体基部に組み付けられる連動部材と連動できるようにしておけば、本体基部１８に組み付けられる古い機種の施錠装置をそのまま流用することができる。これにより、新たな施錠装置及び鍵を設ける必要がなくなり、機種替え時のコストダウンを有効に行うことが可能である。また、前面扉６を保持枠７に対して交換できるようにすることで、保持枠７を共通部品として利用でき、有効なコストダウンを行うことが可能である。
【００５３】
本実施形態では、第１係止爪を保持枠の後面の２箇所に設け、本体基部から交換ユニットを取り外した後に、第１係止爪のそれぞれを個別に可動させて保持枠と前面扉との係合を解除するようにしたが、これに限定する必要はない。図２３に示すように、例えば連結部材７０の一端を第１係止爪７１の押下部７１ａに、その他端を第１係止爪７２の押下部７２ａにそれぞれ回動自在に組み付ける。これにより、第１係止爪７１の一方の可動時には他方の第１係止爪７２が連結部材７０により連動し、１回の操作で前面扉と保持枠との係合を解除することが可能となる。これにより、パチンコ機の製造時及び解体作業時の作業性を向上させることができる。なお、図示はしないが、上記連結部材７０に操作部を設けて、前面扉と保持枠との係合を解除する際には、上記操作部を操作するようにしてもよい。なお、符号７３はブラケット、符号７４は、連結部材７０と第１係止爪７１，７２とを連結させるためのピンである。
【００５４】
本実施形態では、保持枠の上下２箇所に設けられる第１係止爪を保持するブラケットを、第１係止爪のそれぞれに設けたが、これに限定する必要はなく、例えば２個の第１係止爪を保持するブラケットを設けて、このブラケットを介して第１係止爪を保持枠の後面に組み付けるようにしてもよい。
【００５５】
本実施形態では、第１係止爪と前面扉のブラケットとの係合を解除したときに前面扉の後面を押圧し、前面扉を開き位置へと回動させる開放レバーを支持板に設けたが、これに限定する必要はない。図２４に示すように、例えば保持枠８０に組み付けられた第１係止爪８１が挿通される開口８０ａの上方に、軸受け片８２〜８４を設ける。これら軸受け片のうち、軸受け片８２，８４の前端には円弧状の切欠き８２ａ，８４ａが、軸受け片８３には開口８３ａが設けられている。なお、上記切欠き８２ａ，８４ａの位置と開口８３ａの位置とが一致するように設けられる（図２５参照）。これら軸受け片８２〜８４に、回動軸となるピン８５を介して押圧部材８６及び巻きバネ８７が組み付けられる。これにより、巻きバネ８７の付勢を受けたピン８５及び押圧部材８６が、軸受け片８３によって所定位置に保持される。また、図２４中に示す符号８８はＣリングであり、ピン８５が軸受け片８２〜８４から抜けるのを防止している。なお、軸受け片の形状は、上記に限定されるものではなく、例えばピンが挿通される開口を有する軸受け片が２個、それぞれの開口が同軸となるように設けてもよい。
【００５６】
押圧部材８６は、当接部８６ａ、回動防止部８６ｂが設けられる。当接部８６ａは、閉じ位置にある前面扉９０と当接する。また、回動防止部８６ｂは、保持枠８０と当接して、押圧部材８６の回動を防止する。また、符号８６ｃ，８６ｄは、ピン８５が挿通される開口である。
【００５７】
図２５に示すように、遊技場の店員が前面扉を開け作業する際には、まず鍵をキーシリンダに差し込んで所定の方向に回転させると、第１係止爪と前面扉のブラケットとの係合が解除される。これを受けて、押圧部材８６は、巻きバネ８７の付勢を受けて図中Ｓ方向に回動する。このとき、押圧部材８６の当接部８６ａは前面扉９０に当接しているから、押圧部材８６は巻きバネ８７の付勢を受けて、前面扉９０を開き位置に向けて（図２５中Ｓ方向に）押圧する。図２６に示すように、押圧部材８６が図中Ｓ方向に所定量回動すると、回動防止部８６ｂが保持枠８０と当接し、押圧部材８６の回動が防止される。これにより、前面扉９０が開き位置に向けて図中Ｕ方向に所定量回動した後に停止する。この状態で、遊技場の店員は前面扉９０を開き位置まで回動させて、作業を行う。なお、交換ユニットを本体基部から取り外した後に、前面扉を開けるときも同様である。
【００５８】
また、作業を行った後に、前面扉９０を閉じ位置に向けて（図２６中Ｖ方向に）回動させると、前面扉９０と押圧部材８６の当接部８６ａとが当接する。更に前面扉９０を回動させる（前面扉９０を閉じ位置へと押し込む）と、押圧部材８６が巻きバネ８７の付勢に抗して図２４中Ｔ方向に回動する。前面扉９０を閉じ位置まで回動させると、第１係止爪８１とブラケットとの係合が行われ、前面扉９０が閉じ位置に保持される。なお、前面扉９０が閉じ位置に保持されている時には、押圧部材８６の当接部８６ａは前面扉９０と当接した状態で保持される。これにより、第１係止爪８１と前面扉９０のブラケットとの係合を解除した場合には、前面扉９０が押圧部材８６によって所定量開き位置に回動するので、前面扉の回動動作を容易に行うことができる。
【００５９】
【発明の効果】
以上のように、本発明の弾球遊技機によれば、遊技領域を有する部材を保持する保持部材と、前記保持部材に回動自在に設けられ、前記遊技領域を視認する窓部を有する扉とを備えた交換部と、前記交換部が着脱自在に組み付けられる本体基部と、前記本体基部を回動自在に保持する固定部材とを備えた据え置き部とから構成されるとともに、前記扉に設けられた第１の係合部と、前記固定部材に設けられた第２の係合部と、前記保持部材に設けられ、前記第１の係合部と係合する第１の係止部と、前記本体基部に設けられ、前記第２の係合部と係合する第２の係止部と、前記本体基部に設けられた錠部と、前記錠部の作動に連動し、前記第１の係止部及び第２の係止部による係合を選択的に解除する連係機構とからなる施錠装置を備えたので、弾球遊技機の機種替え、及び解体時の作業性を向上させることができる。また、錠部を本体基部に設けることで、保持枠を交換した際に鍵の変更を行わずに済むので、機種交換時のコストダウンを効果的に行うことができる。
【００６０】
また、前記第１の係止部と前記第１の係合部との係合は、前記交換部を据え置き部から取り外した場合も維持されるから、弾球遊技機を、例えば保持部材と扉部材とを有するユニットを本体基部から取り外し可能な構成としても、鍵の個数を増さずに、１つの鍵で対応することが可能となる。また、扉部材が保持部材に対して固定されるので、新しい機種への切り換え時等における作業性を向上させることができる。
【００６１】
また、前記第１の係止部及び第２の係止部は、前記第１及び第２の係合部のそれぞれと係合する係合位置と、前記各係合を選択的に解除する第１及び第２解除位置との間で移動するとともに、前記第１及び第２の係止部は前記係合位置に向けてそれぞれバネ付勢されているので、確実な施錠を行うことができる。
【００６２】
また、前記錠部は、第１方向に移動したときに、前記第１の係止部を前記係合位置から前記第１解除位置へ移動させ、前記第１とは異なる第２方向に移動したときに、前記第２の係止部を前記係合位置から前記第２解除位置へと移動させるから、この錠部の操作を行うだけで容易に開錠することが可能となる。また、前記錠部は、前記第１の方向及び第２の方向に回動自在であるから、操作方法を予め分かっていれば、作業中の操作ミスを抑制することが可能となる。
【００６３】
また、前記連係機構を、前記錠部の前記第１方向への移動に連動し、前記第１の係止部を第１解除位置へと移動させるとともに、前記錠部の前記第２方向への移動に連動し、前記第２の係止部を第２解除位置へと移動させる連動部材と、前記錠部の動きを前記連動部材へと伝達する伝達部材と、前記錠部が第１方向に移動したときに連動して移動した連動部材を、初期位置へと復帰させる復帰部材と、から構成したから、このような連係機構が据え置きユニットに組み込まれることで、第１の係止部が組み付けられる保持材を共通化し、且つ第２の係止部を同一の位置に設けることで、上記連係機構を新規に製造する必要がなく、有効なコストダウンを行うことができる。
【００６４】
また、前記錠部の第２方向への移動に連動して移動した前記連動部材は、前記バネ付勢によって前記係合位置へと移動する前記第２の係止部の動きに基づいて前記初期位置に復帰するので、連動部材を基準となる位置に向けて付勢するバネ等の付勢手段を新たに設けなくて済む。
【００６５】
また、前記連係機構は、前記第１の係止部が前記係合位置から第１解除位置へと移動した際に、前記扉を押し出す押出し部材を備えるとともに、前記押出し部材にはバネの一端が、前記復帰部材には前記バネの他端が取り付けられているから、それぞれの部材を付勢する部品を設けずに済む。
【００６６】
また、前記保持部材は、前記第１の係止部が前記係合位置から第１解除位置へと移動した際に、バネの付勢によって前記扉を押し出す押出し部材を備えているから、施錠機構の部品点数を減らすことになり、コストダウンを効率よく行うことができる。また、この場合、保持部材を本体基部から外した時に、前記扉を開ける場合に、第１の係合部と第１の係止部との係合を解除すれば、扉が所定量押し出されるので、交換部を分解するときの作業性を向上させることができる。
【図面の簡単な説明】
【図１】本発明を実施したパチンコ機の外観を示す斜視図である。
【図２】交換ユニットを本体基部から分解して示す斜視図である。
【図３】本体基部を回動させた状態を示す斜視図である。
【図４】施錠装置の構成を分解して示す斜視図である。
【図５】第１係止爪及びその近傍の概略を示す斜視図である。
【図６】支持板及び連動部材の上部構成を示す斜視図である。
【図７】支持板及び連動部材の中央構成を示す斜視図である。
【図８】支持板及び連動部材の下部構成を示す斜視図である。
【図９】支持板、連動部材の下部の構成及び係止部材の構成を示す斜視図である。
【図１０】キーシリンダに挿入された鍵を第１解除位置に向けて回転させた場合の前面、後面を示す正面図である。
【図１１】施錠装置の上部に位置する第１係止爪とブラケットとが係合した状態を示す正面図である。
【図１２】第１の解除位置までスライドする連動部材によって、施錠装置の上部に位置する第１の係止爪とブラケットとの係合が解除された状態を示す正面図である。
【図１３】施錠装置の中部に位置する第１係止とブラケットとの係合時の開放レバーの位置を示す正面図である。
【図１４】施錠装置の中部に位置する第１係止爪とブラケットとの係合が解除された時の開放レバーの位置を示す正面図である。
【図１５】施錠装置の中部に位置する第１係止とブラケットとの係合が解除されたことによって回動した開放レバーによって前面扉が所定量回動した状態を示す正面図である。
【図１６】前面扉を開放した状態のパチンコ機を示す斜視図である。
【図１７】前面扉を閉じる際のブラケットによって回動する第１係止爪を示す平面図である。
【図１８】キーシリンダに挿入された鍵を第２解除位置に向けて回転させた場合の前面、後面を示す正面図である。
【図１９】支持板の中央に組み付けられた第２係止爪とブラケットとの係合状態を示す正面図である。
【図２０】上部第２係止爪とブラケットとの係合が解除された状態を示す正面図である。
【図２１】支持板の下部に組み付けられた第２係止爪とブラケットとの係合が解除された状態を示す平面図である。
【図２２】交換ユニットを本体基部から取り外した場合の、施錠装置の構成を示す平面図である。
【図２３】第１係止爪に連結部材を組み付けた場合の構成を分解して示す斜視図である。
【図２４】保持枠に前面扉を開き位置へと回動させる押圧部材を設けた場合の、押圧部材近傍の構成を分解して示す斜視図である。
【図２５】前面扉が閉じ位置にある場合の押圧部材の近傍を示す断面図である。
【図２６】前面扉が開き位置に向けて所定量開いた場合の押圧部材の近傍を示す断面図である。
【符号の説明】
２  パチンコ機
３  交換ユニット
４  据え置きユニット
６  前面扉
７，８０  保持枠
８  遊技盤ユニット
１８  本体基部
１９  固定枠
３０  施錠装置
３１，３２  第１係止爪
３３，３４  第２係止爪
３５  連動部材
３６  キーシリンダ
３７  開放レバー
３８  復帰部材
３９  係止部材
４０  支持板
８６  押圧部材
８７  巻きバネ
【図１】
2005006941.tif 000003
【図２】
2005006941.tif 000004
【図３】
2005006941.tif 000005
【図４】
2005006941.tif 000006
【図５】
2005006941.tif 000007
【図６】
2005006941.tif 000008
【図７】
2005006941.tif 000009
【図８】
2005006941.tif 000010
【図９】
2005006941.tif 000011
【図１０】
2005006941.tif 000012
【図１１】
2005006941.tif 000013
【図１２】
2005006941.tif 000014
【図１３】
2005006941.tif 000015
【図１４】
2005006941.tif 000016
【図１５】
2005006941.tif 000017
【図１６】
2005006941.tif 000018
【図１７】
2005006941.tif 000019
【図１８】
2005006941.tif 000020
【図１９】
2005006941.tif 000021
【図２０】
2005006941.tif 000022
【図２１】
2005006941.tif 000023
【図２２】
2005006941.tif 000024
【図２３】
2005006941.tif 000025
【図２４】
2005006941.tif 000026
【図２５】
2005006941.tif 000027
【図２６】
2005006941.tif 000028